(57)【要約】【課題】押し下げ操作が軽く、クリック感を備えた操作フィーリングに優れた入力装置を提供する。【解決手段】操作部としてのタッチパネル２の押下操作を検出して検出情報を出力する検出部としてのエンコーダディスク７７ａ、７８ａ、エンコーダ７７ｂ、７８ｂと、操作部の基準位置から下方向への押下操作が可能なように構成され、押下操作の方向とは反対方向に、節度感を有して反力呈示を行なう反力生成部５０を備えた押下機構部３と、操作部を駆動する駆動機構部７と、検出部から取得した検出情報に基づいて、節度感を呈示する領域で、押下操作の方向及びその反対方向の力を生成して駆動機構部７を制御する制御部８０と、を有して入力装置１を構成する。【選択図】図１
2014081720.tif 000002
【特許請求の範囲】
【請求項１】
操作部の押下操作を検出して検出情報を出力する検出部と、
前記操作部の基準位置から下方向への押下操作が可能なように構成され、前記押下操作の方向とは反対方向に、節度感を有して反力呈示を行なう反力生成部を備えた押下機構部と、
前記操作部を駆動する駆動機構部と、
前記検出部から取得した前記検出情報に基づいて、前記節度感を呈示する領域で、前記押下操作の方向及びその反対方向の力を生成して前記駆動機構部を制御する制御部と、
を有することを特徴とする入力装置。
【請求項２】
前記制御部は、さらに前記反力生成部が生成する力とは反対方向の力を生成して前記押下機構部を介して前記操作部を前記押下操作の方向とは反対方向に駆動することを特徴とする請求項１に記載の入力装置。
【請求項３】
前記検出部は、前記押下操作により行われる前記操作部の移動に伴って回転する円板の回転角度を検出して前記検出情報を出力する請求項１又は２に記載の入力装置。
【発明の詳細な説明】
【技術分野】
【０００１】
本発明の実施の形態は、入力装置に関する。
【背景技術】
【０００２】
従来の技術として、タッチパネル面を押し下げることで操作されるプッシュスイッチをタッチパネルの下に備えた入力装置が知られている（例えば、特許文献１参照）。
【０００３】
この入力装置は、利用者の指等が座標検出面に接触すると接触位置の座標を検出するタッチパネルと、タッチパネル下に設けられてタッチパネルの座標検出面が押し下げられることで操作されるプッシュスイッチと、プッシュスイッチが設置される筐体と、筐体に対してタッチパネル底面を弾性支持するリンク部材とを有し、利用者の指等によって座標指示操作とプッシュ操作とを実行することができる。
【０００４】
また、操作部が、浮上している状態と着地している状態とを明確に区別するようにクリック感を持たせるため、摺動体の上部と操作体の内側天面との間に設けられたばねをシリコンゴム等で形成されたお椀状のクリックばねとしている。これにより、操作部をプッシュ操作する場合に、クリック感を感じることができるとされている。
【先行技術文献】
【特許文献】
【０００５】
【特許文献１】特開２０００−３１１０５２号公報
【発明の概要】
【発明が解決しようとする課題】
【０００６】
しかし、従来の入力装置においては、プッシュ操作時の操作荷重を低減するためにクリックばねの弾性力を低減すると復帰力が弱くなって基準位置まで戻らない場合が生じる。そこで、モータ等によりプッシュ操作の方向と反対方向に力を付加してアシストすると、プッシュ操作時の操作荷重は低減できるがクリック感が減少してしまうという問題がある。
【０００７】
従って、本発明の目的は、押し下げ操作が軽く、クリック感を備えた操作フィーリングに優れた入力装置を提供することにある。
【課題を解決するための手段】
【０００８】
[１]本発明は、上記目的を達成するため、操作部の押下操作を検出して検出情報を出力する検出部と、前記操作部の基準位置から下方向への押下操作が可能なように構成され、前記押下操作の方向とは反対方向に、節度感を有して反力呈示を行なう反力生成部を備えた押下機構部と、前記操作部を駆動する駆動機構部と、前記検出部から取得した前記検出情報に基づいて、前記節度感を呈示する領域で、前記押下操作の方向及びその反対方向の力を生成して前記駆動機構部を制御する制御部と、を有することを特徴とする入力装置を提供する。
【０００９】
[２]前記制御部は、さらに前記反力生成部が生成する力とは反対方向の力を生成して前記押下機構部を介して前記操作部を前記押下操作の方向とは反対方向に駆動することを特徴とする上記[１]に記載した入力装置であってもよい。
【００１０】
[３]また、前記検出部は、前記押下操作により行われる前記操作部の移動に伴って回転する円板の回転角度を検出して前記検出情報を出力する上記[１]又は[２]に記載した入力装置であってもよい。
【発明の効果】
【００１１】
本発明によれば、押し下げ操作が軽く、クリック感を備えた操作フィーリングに優れた入力装置を提供することができる。
【図面の簡単な説明】
【００１２】
【図１】図１は、実施の形態に係る入力装置の分解斜視図である。
【図２】図２（ａ）は、実施の形態に係る入力装置の配置を説明するための概略図であり、（ｂ）は、入力装置のブロック図である。
【図３】図３（ａ）は、実施の形態に係るベースの下面図であり、（ｂ）は、側面図である。
【図４】図４（ａ）は、実施の形態に係るボディの上面図であり、（ｂ）は、図４（ａ）のIV（ｂ）-IV（ｂ）線で切断した断面を矢印方向から見た断面図である。
【図５】図５（ａ）は、実施の形態に係るプッシュロッドの側面図であり、（ｂ）は、下面図である。
【図６】図６（ａ）は、実施の形態に係る駆動機構部の第１のギアの概略図であり、（ｂ）は、図６（ａ）のVI（ｂ）-VI（ｂ）線で切断した断面を矢印方向から見た断面図であり、（ｃ）は、第１のギアの側面図であり、（ｄ）は、第２のギアの概略図であり、（ｅ）は、図６（ｄ）のVI（ｅ）-VI（ｅ）線で切断した断面を矢印方向から見た断面図であり、（ｆ）は、第２のギアの側面図である。
【図７】図７（ａ）は、基準位置から下方向の移動量であるストロークＳとその位置で操作部に作用する荷重Ｆとの関係を示す、反力生成部によるＦ−Ｓ特性図である。図７（ｂ）は、ストロークＳとその位置で操作部に作用するモータアシスト力を示す図である。図７（ｃ）は、ストロークＳとその位置で操作部に作用する荷重Ｆとの関係を示すＦ−Ｓ特性図である。Ａ’、Ｂ’を通ってＣに至る曲線は、基準位置から下方向への押下動作時のＦ−Ｓ特性図であり、ＣからＢ、Ａ、Ｏに至る曲線は、最大押下げ位置Ｃ（ストロークＳ＝Ｓｃ）から基準位置への戻り動作時のＦ−Ｓ特性図である。図７（ｄ）は、基準位置から下方向への押下げ動作時におけるアシスト補正のストロークＳと補正力との関係を示す図である。また、図７（ｅ）は、図７（ｃ）におけるＦ−Ｓ特性にアシスト補正を施して節度感（クリック感）を強調したＦ−Ｓ特性図である。
【図８】図８は、実施の形態に係る入力装置の基準位置からの押し下げ操作における動作を示す概略図である。
【発明を実施するための形態】
【００１３】
[実施の形態]
（入力装置１の構成）
図１は、実施の形態に係る入力装置の分解斜視図である。図２（ａ）は、実施の形態に係る入力装置の配置を説明するための概略図であり、図２（ｂ）は、入力装置のブロック図である。なお、以下に記載する上下とは、特に断らない限り、図１の紙面の上下を基準としている。また、実施の形態に係る各図において、部品と部品との比率は、実際の比率とは異なる場合がある。
【００１４】
本発明の実施の形態に係る入力装置１は、操作部としてのタッチパネル２の押下操作を検出して検出情報を出力する検出部としてのエンコーダディスク７７ａ、７８ａ、エンコーダ７７ｂ、７８ｂと、操作部の基準位置から下方向への押下操作が可能なように構成され、押下操作の方向とは反対方向に、節度感を有して反力呈示を行なう反力生成部５０を備えた押下機構部３と、操作部を駆動する駆動機構部７と、検出部から取得した検出情報に基づいて、節度感を呈示する領域で、押下操作の方向及びその反対方向の力を生成して駆動機構部７を制御する制御部８０と、を有して構成されている。
【００１５】
タッチパネル２の押下操作を検出して検出情報を出力する検出部は、エンコーダディスク７７ａ、７８ａとエンコーダ７７ｂ、７８ｂによる回転角度の検出手段には限られず、例えば、押下げされるタッチパネル２側に設けられた反射板をフォトインタラプタにより検出するよう構成された検出部によることも可能である。
【００１６】
また、節度感を有して反力呈示を行なう反力生成部５０は、後述するスプリング３１とプッシュスイッチ５の組み合わせにより構成されるが、これに限られず、例えば、節度感を呈示する節度ばねや、節度感を呈示するラバー製のドーム形状をしたラバードーム等であってもよい。
【００１７】
ここで基準位置とは、タッチパネル２に操作がなされていない場合に、支持部材としてのスプリング３１の反力とタッチパネル２の自重による重力とが釣り合っている状態におけるタッチパネル２の位置を示している。
【００１８】
また入力装置１は、図１に示すように、カバー４ａと、ベゼル１０と、シールド１２と、スタビライザー６と、制御基板８と、を備えて概略構成されている。
【００１９】
入力装置１は、車両９に搭載されている電子機器を操作するように構成されている。入力装置１は、図２（ａ）に示すように、運転座席と助手席の間に伸びるセンターコンソール９０に配置されている。電子機器は、一例として、カーナビゲーション装置、音楽再生装置、動画再生装置及び空調装置等である。
【００２０】
（ベゼル１０の構成）
ベゼル１０は、図１及び図２（ａ）に示すように、センターコンソール９０の表面と段差が無くなるように入力装置１に設けられている。このベゼル１０は、タッチパネル２の操作面２００が露出する開口１００を有する板形状に形成されている。ベゼル１０は、例えば、樹脂材料を用いて形成されている。
【００２１】
ベゼル１０は、図１に示すように、裏面から突出する脚１０１〜脚１０４を四隅に備えている。この脚１０１〜脚１０４は、後述するボディ４に取り付けられるように構成されている。
【００２２】
（タッチパネル２の構成）
タッチパネル２は、例えば、図１に示すように、シート２０と、プレート２１と、パネル２２と、タッチパネル基板２３と、ベース２４と、を備えて概略構成されている。
【００２３】
シート２０は、例えば、操作者の指の滑りを良くする目的で、プレート２１の凹部２１０の底面２１１に貼られている。このシート２０は、樹脂材料を用いて矩形状に形成されている。操作者は、このシート２０の表面（操作面２００）に対して操作を行い、その操作をタッチパネル基板２３が検出する。
【００２４】
プレート２１は、例えば、エラストマー樹脂等の樹脂材料を用いて形成される。このプレート２１は、矩形状を有し、その周囲には段差が設けられている。またプレート２１の中央には、凹部２１０が設けられている。プレート２１は、タッチパネル基板２３上に配置される。
【００２５】
パネル２２は、例えば、四角い枠であり、プレート２１、タッチパネル基板２３及びベース２４を一体とする。このパネル２２は、例えば、樹脂材料を用いて形成される。
【００２６】
タッチパネル基板２３は、例えば、静電容量を検出する静電容量タッチセンサである。このタッチパネル基板２３は、検出面２３０に接近、又は接触した検出対象との間の静電容量を検出し、検出点の座標情報（接触座標）を出力するように構成されている。本実施の形態においては、検出面２３０上に、プレート２１及びシート２０が配置されているので、シート２０の操作面２００に対する接近、接触を検出するように構成されている。なお上記の接近とは、静電容量がしきい値を越えるほど接近した状態を示している。タッチパネル基板２３が検出する検出対象は、操作者の体の一部、スタイラスペンのような導電性を有するもの等であるが、以下では特に断らない限り、指による操作を対象とする。
【００２７】
タッチパネル２は、静電容量タッチセンサに限定されず、操作面２００をなぞる操作を検出可能なセンサであれば良い。本実施の形態では、入力装置１に表示部９１は含まれないが、入力装置１は、タッチパネル基板２３を透明基板で構成し、タッチパネル基板２３の下に表示部９１を備える構成としても良い。
【００２８】
図３（ａ）は、実施の形態に係るベースの下面図であり、（ｂ）は、側面図である。
【００２９】
ベース２４は、例えば、樹脂材料を用いて形成されている。このベース２４は、図１、図３（ａ）及び（ｂ）に示すように、矩形状でかつ、板形状を有している。
【００３０】
このベース２４は、上面２４ａに収納部２４０ａが形成されている。この収納部２４０ａには、タッチパネル基板２３が収納されている。
【００３１】
またベース２４の下面２４ｂには、図３（ａ）及び（ｂ）に示すように、４つの側面の近傍のそれぞれに脚２４０〜脚２４３が設けられている。この脚２４０〜脚２４３は、断面がＵ字形状となっている。脚２４０〜脚２４３は、後述するボディ４に形成された貫通孔に挿入される。従って脚２４０〜脚２４３は、タッチパネル２が移動する際のガイドとなる。
【００３２】
ベース２４の下面２４ｂには、対向する、リンク２４５とリンク２４６、及び取付部２４７と取付部２４８が設けられている。リンク２４５及びリンク２４６は、四角柱形状を有しており、その長さは脚２４０〜脚２４３よりも長い。また取付部２４７及び取付部２４８は、四角柱形状を有し、その長さは、脚２４０〜脚２４３よりも短い。
【００３３】
リンク２４５は、後述する駆動機構部７の第１のギア７１のリンクピン７１１が挿入されるリンク凹部２４５ａを有する。またリンク２４６は、駆動機構部７の第２のギア７２のリンクピン７２１が挿入されるリンク凹部２４６ａを有する。
【００３４】
取付部２４７は、後述するスタビライザー６の一方の端部が挿入される凹部２４７ａを有する。また取付部２４８は、スタビライザー６の他方の端部が挿入される凹部２４８ａを有する。
【００３５】
ベース２４は、収納部２４０ａに貫通孔２４９を有する。この貫通孔２４９には、タッチパネル基板２３のケーブル２３１が挿入される。このケーブル２３１は、制御基板８に電気的に接続される。
【００３６】
（シールド１２の構成）
シールド１２は、例えば、導電性を有する金属材料を用いて形成される。このシールド１２は、タッチパネル２の側面を覆うような枠形状を有し、制御基板８の接地回路に電気的に接続されている。
【００３７】
（押下機構部３の構成）
図４（ａ）は、実施の形態に係るボディの上面図であり、（ｂ）は、図４（ａ）のIV（ｂ）-IV（ｂ）線で切断した断面を矢印方向から見た断面図である。
【００３８】
押下機構部３は、押し下げ操作に基づいてタッチパネル２の下面２４ｂに接触するロッドとしてのプッシュロッド３０と、プッシュロッド３０を支持する支持部としてのボディ４と、ボディ４に設けられ、タッチパネル２の方向の力を生成してプッシュロッド３０に付加する支持部材としてのスプリング３１と、を備えて概略構成されている。
【００３９】
ボディ４は、図１、図４（ａ）及び（ｂ）に示すように、上部に収納部４０が設けられている。この収納部４０には、タッチパネル２が収納される。ボディ４は、例えば、樹脂材料を用いて形成されている。
【００４０】
また収納部４０は、その底面４０ａの中央にロッド開口４００が形成されている。このロッド開口４００は、底面４０ａから下方向に伸びるように筒状に形成され、プッシュロッド３０及びスプリング３１が挿入される。
【００４１】
この底面４０ａには、さらに図４（ａ）の紙面において時計回りに貫通孔であるガイド４１〜ガイド４４が形成されている。また底面４０ａには、対向するように、リンク孔４５とリンク孔４６、取付孔４７と取付孔４８、が形成されている。さらに底面４０ａには、ガイド４１とロッド開口４００の間に、ケーブルが挿入される貫通孔４９が形成されている。この貫通孔４９は、収納部４０に収納されたタッチパネル２のベース２４の貫通孔２４９に対応する位置に形成される。
【００４２】
ガイド４１には、ベース２４の脚２４０が挿入される。ガイド４２には、ベース２４の脚２４１が挿入される。ガイド４３には、ベース２４の脚２４２が挿入される。ガイド４４には、ベース２４の脚２４３が挿入される。
【００４３】
リンク孔４５には、リンク２４５が挿入される。またリンク孔４６には、リンク２４６が挿入される。
【００４４】
取付孔４７には、取付部２４７が挿入される。スタビライザー６は、取付孔４７に挿入された取付部２４７に取り付けられる。取付孔４８には、取付部２４８が挿入される。スタビライザー６は、取付孔４８に挿入された取付部２４８に取り付けられる。ボディ４の底面４０ａの逆側の面には、スタビライザー６を取り付けることができるように、取付部４０１〜取付部４０３が、突出するように形成されている。
【００４５】
取付部４０１は、後述するスタビライザー６の基部６０の一方端部側を支持する。取付部４０２は、基部６０の中央部分を支持する。取付部４０３は、基部６０の他方端部側を支持する。
【００４６】
ロッド開口４００は、図４（ａ）に示すように、その底面４００ａに十字形状の貫通孔４００ｂを有する。この貫通孔４００ｂには、後述するプッシュロッド３０の先端部３０５が挿入される。
【００４７】
またロッド開口４００の側面には、後述するプッシュロッド３０の凸部が挿入されるスリット４００ｃが形成されている。さらにスリット４００ｃの収納部４０側には、プッシュロッド３０の凸部が接触する抜止４００ｄが形成されている。この抜止４００ｄは、ロッド開口４００に挿入されたスプリング３１の弾性力により、ロッド開口４００からプッシュロッド３０が抜けるのを防止している。
【００４８】
図５（ａ）は、実施の形態に係るプッシュロッドの側面図であり、（ｂ）は、下面図である。
【００４９】
プッシュロッド３０は、図５（ａ）及び（ｂ）に示すように、細長い四角柱となる本体３００と、円柱形状を有し、本体３００の端面３００ａから突出する接触部３０３と、接触部３０３よりも一回り小さい円柱形状を有する取付部３０４と、取付部３０４の先端から突出する先端部３０５と、を備えて概略構成されている。このプッシュロッド３０は、例えば、樹脂材料を用いて形成されている。
【００５０】
本体３００は、短手方向の両側面から突出する凸部３０１及び凸部３０２が形成されている。この凸部３０１及び凸部３０２は、ボディ４のロッド開口４００に形成されたスリット４００ｃに挿入され、タッチパネル２の押し下げ操作に伴う上下方向の移動のガイドとして機能する。
【００５１】
接触部３０３には、ロッド開口４００に挿入されたスプリング３１の端部が接触する。従ってプッシュロッド３０は、ロッド開口４００に挿入されたスプリング３１から、タッチパネル２方向の弾性力を付加されている。しかしプッシュロッド３０の凸部３０１及び凸部３０２が、抜止４００ｄと接触するので、プッシュロッド３０は、ロッド開口４００から抜けないようにされている。
【００５２】
従ってプッシュロッド３０とタッチパネル２との間にクリアランスを設けた場合、プッシュロッド３０は、タッチパネル２のベース２４の下面２４ｂに押し付けられることなくクリアランスを保つことが可能となる。
【００５３】
取付部３０４は、スプリング３１が挿入される部分である。この取付部３０４から突出して設けられた先端部３０５は、短手方向の断面が十字形状で、細長い形状を有している。先端部３０５は、ロッド開口４００の貫通孔４００ｂに挿入されている。
【００５４】
スプリング３１は、例えば、金属材料を用いて形成されたコイルスプリングである。なおスプリング３１は、金属材料に限定されず、樹脂材料等を用いて形成されても良い。また力生成部は、コイルスプリングに限定されず、プッシュロッド３０にタッチパネル２方向の力を付加することができる機械要素であれば良い。
【００５５】
（スタビライザー６の構成）
タッチパネル２とボディ４とを連結する連結部材としてのスタビライザー６は、基部６０と、基部６０の一方端部を曲げて形成された第１の端部としての端部６１と、基部６０の他方端部を曲げて形成された第２の端部としての端部６２と、を備え、基部６０がシャフト７３と交差するように、ボディ４に取り付けられ、端部６１及び端部６２がタッチパネル２に取り付けられている。
【００５６】
スタビライザー６は、例えば、図１に示すように、針金を細長い楕円形状とし、その長手の一部を切り取ったような形状を有する。
【００５７】
このスタビライザー６は、タッチパネル２になされた、偏った押し下げ操作においても、プッシュロッド３０を介してプッシュスイッチ５をオンすることができるように設けられたものである。
【００５８】
この偏った押し下げ操作とは、タッチパネル２の操作面２００の中央から離れた位置でなされた操作を示している。このスタビライザー６は、その長手方向における偏った押し下げ操作を許容するように構成されている。
【００５９】
押し下げ操作が、例えば、操作面２００の隅で行われた場合、タッチパネル２の隅の移動量と、中央での移動量と、では異なり、中央での移動量が十分でなくてプッシュスイッチ５がオンとならない可能性がある。しかし入力装置１は、スタビライザー６の長手方向に沿った位置で、偏った押し下げ操作が行われた場合、端部６１又は端部６２の一方が基部６０に対してねじれ、そのねじれによって生じる力により、他方がそのねじれに追従する。この追従により、他方の端部が取り付けられているベース２４を下方向に引っ張ることとなり、タッチパネル２の傾きが修正された状態で下方に移動するので、確実にプッシュロッド３０を介してプッシュスイッチ５をオンさせることが可能となる。
【００６０】
（駆動機構部７の構成）
図６（ａ）は、実施の形態に係る駆動機構部の第１のギアの概略図であり、（ｂ）は、図６（ａ）のVI（ｂ）-VI（ｂ）線で切断した断面を矢印方向から見た断面図であり、（ｃ）は、第１のギアの側面図であり、（ｄ）は、第２のギアの概略図であり、（ｅ）は、図６（ｄ）のVI（ｅ）-VI（ｅ）線で切断した断面を矢印方向から見た断面図であり、（ｆ）は、第２のギアの側面図である。
【００６１】
駆動機構部７は、図１に示すように、ギアシャフト部７０と、モータ７５と、を備えて概略構成されている。ギアシャフト部７０は、第１のギア７１と、第２のギア７２と、シャフト７３と、を備えて概略構成されている。
【００６２】
具体的には、駆動機構部７は、駆動力を発生する駆動力発生部としてのモータ７５と、モータ７５の出力軸に設けられた出力軸側ギアとしてのピニオンギア７６と、ピニオンギア７６と噛み合い、タッチパネル２に設けられた第１のリンクとしてのリンク２４５と連結される第１の凸部としてのリンクピン７１１が設けられた第１のギア７１と、を備えている。
【００６３】
また駆動機構部７は、一方端部が第１のギア７１に接続するシャフト７３と、シャフト７３の他方端部が接続し、リンク２４５と対向する第２のリンクとしてのリンク２４６と連結される第２の凸部としてのリンクピン７２１が設けられた回転部材としての第２のギア７２と、を備えている。
【００６４】
また、駆動機構部７は、タッチパネル２の基準位置Ｓ０からの位置又は変位であるストロークＳを検出する検出部を有する。この検出部は、第１のギア７１に取り付けられるスリット円板等であるエンコーダディスク７７ａと、第２のギア７２に取り付けられるスリット円板等であるエンコーダディスク７８ａと、それぞれ制御基板８に設けられたエンコーダ７７ｂとエンコーダ７８ｂとを有して構成され、これによって回転角度が読み取られる。
【００６５】
第１のギア７１及び第２のギア７２は、例えば、樹脂材料を用いて形成されている。シャフト７３は、例えば、金属材料を用いて棒形状に形成されている。
【００６６】
第１のギア７１は、図６（ａ）に示すように、半円形状を有し、モータ７５の出力軸に設けられたピニオンギア７６と噛み合うギア部７１０が円周に形成されている。また第１のギア７１の回転軸のシャフト７３側には、シャフト取付部７１３が設けられている。このシャフト取付部７１３には、図６（ｃ）に示すように、挿入孔７１３ａが形成され、シャフト７３が挿入される。
【００６７】
シャフト取付部７１３の反対側には、ピン挿入部７１２が設けられている。このピン挿入部７１２の挿入孔７１２ａには、図１に示すピン７４ａが挿入される。このピン７４ａによって、第１のギア７１は、ボディ４に回転可能に取り付けられている。
【００６８】
第１のギア７１は、ピン挿入部７１２に隣接してリンクピン７１１が設けられている。このリンクピン７１１は、ベース２４のリンク２４５のリンク凹部２４５ａに挿入される。
【００６９】
第２のギア７２は、図６（ｄ）に示すように、半円形状を有し、ギア部７２０が円周に形成されている。また第２のギア７２のシャフト７３側には、シャフト取付部７２３が設けられている。このシャフト取付部７２３には、図６（ｆ）に示すように、挿入孔７２３ａが形成され、シャフト７３が挿入される。なお第２のギア７２は、第１のギア７１と同形状、同質量であることが好ましいので、第１のギア７１と同じギア形状を有しているが、これに限定されず、ギア部が形成されない形状であっても良い。
【００７０】
シャフト取付部７２３の反対側には、ピン挿入部７２２が設けられている。このピン挿入部７２２の挿入孔７２２ａには、図１に示すピン７４ｂが挿入される。このピン７４ｂによって、第２のギア７２は、ボディ４に回転可能に取り付けられている。
【００７１】
第２のギア７２は、ピン挿入部７２２に隣接してリンクピン７２１が設けられている。このリンクピン７２１は、ベース２４のリンク２４６のリンク凹部２４６ａに挿入される。
【００７２】
モータ７５は、ブラケット７５ａを介して制御基板８に取り付けられている。このモータ７５の出力軸には、ピニオンギア７６が取り付けられている。このピニオンギア７６は、第１のギア７１のギア部７１０と噛み合うように構成されている。
【００７３】
モータ７５は、図１に示すように、正逆回転するように構成されている。ここで、正回転とは、例えば、図１に示す矢印Ａ方向であり、逆回転とは、矢印Ｂ方向である。
【００７４】
モータ７５が正回転（矢印Ａ方向）する場合、図１の紙面において反時計回りにピニオンギア７６が回転する。この反時計回りの回転により、第１のギア７１が時計回りに回転すると共にリンクピン７１１が上方向に移動し、ベース２４のリンク２４５を介してタッチパネル２を上方向に駆動する。
【００７５】
またモータ７５が逆回転（矢印Ｂ方向）する場合、図１の紙面において時計回りにピニオンギア７６が回転する。この時計回りの回転により、第１のギア７１が反時計回りに回転すると共にリンクピン７１１が下方向に移動し、ベース２４のリンク２４５を介してタッチパネル２を上方向から基準位置に駆動する。
【００７６】
ここでギアシャフト部７０は、その長手方向が、スタビライザー６の長手方向と交差するように配置される。これは、スタビライザー６が、その長手方向に沿った位置で偏った押し下げ操作を許容するように構成されたのに対して、当該長手方向と交差する方向に沿った位置で偏った押し下げ操作を許容させるためである。
【００７７】
ギアシャフト部７０の長手方向に沿った位置で偏った押し下げ操作が行われた場合、ベース２４のリンク２４５又はリンク２４６を介して第１のギア７１又は第２のギア７２の何れかが回転する。一方のギアが回転すれば、他方のギアが回転するので、他方のリンクピンが挿入されたリンクを介してベース２４が押し下げられる。従って、タッチパネル２の傾きが修正された状態で下方に移動するので、確実にプッシュロッド３０を介してプッシュスイッチ５をオンさせることが可能となる。よって入力装置１は、スタビライザー６及びギアシャフト部７０によって、偏った押し下げ操作を許容することが可能となる。
【００７８】
（制御基板８の構成）
制御基板８は、図２（ｂ）に示すように、プッシュスイッチ５と、エンコーダ７７ｂ、７８ｂと、制御部８０とが配置されたプリント配線基板である。
【００７９】
制御部８０は、例えば、記憶されたプログラムに従って、取得したデータに演算、加工等を行うＣＰＵ（Central Processing Unit）、半導体メモリであるＲＡＭ（Random Access Memory）及びＲＯＭ（Read Only Memory）等から構成されるマイクロコンピュータである。
【００８０】
制御部８０は、プッシュスイッチ５、タッチパネル基板２３、モータ７５及びエンコーダ７７ｂ、７８ｂと電気的に接続されている。
【００８１】
プッシュスイッチ５は、先端が押されることで、制御部８０にプッシュ情報を出力する押ボタンスイッチである。このプッシュ情報は、プッシュスイッチ５がオンされたことを示す情報である。なおプッシュスイッチ５は、押ボタンスイッチに限定されず、荷重を検出する荷重センサ等であっても良い。
【００８２】
タッチパネル基板２３は、座標情報を出力するように構成されている。この座標情報は、タッチパネル基板２３が検出した検出対象の座標の情報である。
【００８３】
エンコーダ７７ｂ、７８ｂは、それぞれ第１のギア７１、第２のギア７２に取り付けられたエンコーダディスク７７ａ、７８ａの回転角度を検出し、角度情報を制御部８０に出力する。
【００８４】
制御部８０は、エンコーダディスク７７ａ、７８ａから入力された角度情報に基づいて、モータ７５を制御するための駆動信号を出力するように構成されている。モータ７５は、この駆動信号に基づいて正逆回転を行う。なお、角度情報と駆動信号との関係については後述する。
【００８５】
また制御部８０は、座標情報及びプッシュ情報に基づいて操作情報を生成し、接続された電子機器に出力するように構成されている。この操作情報は、検出点の座標の情報、及びプッシュ操作の有無等を含む情報である。
【００８６】
なお基準位置から押下位置までの押下量は、一例として、０．５ｍｍである。なお、押下量が２ｍｍ程度の一般的なスイッチを用いてもよい。
【００８７】
（カバー４ａの構成）
カバー４ａは、図１に示すように、ボディ４の下に取り付けられるものである。このカバー４ａは、例えば、樹脂材料等を用いて形成されている。
【００８８】
（反力生成部５０の構成）
反力生成部５０は、スプリング３１とプッシュスイッチ５から構成されている。スプリング３１は、前述のように、例えば、金属材料を用いて形成されたコイルスプリングであり、基準位置からの押下げ量であるストロークＳに比例して、タッチパネル２を上方向に戻そうとする反力である荷重Ｆをタッチパネル２に付加する。また、プッシュスイッチ５は、前述のように、先端が押されることで、制御部８０にプッシュ情報を出力する押ボタンスイッチであるが、タクトスイッチとして押圧動作の開始後からオン動作の前後で節度感（クリック感）を呈示する。
【００８９】
この反力生成部５０が呈示するＦ−Ｓ特性は、スプリング３１のＦ−Ｓ特性とプッシュスイッチ５のＦ−Ｓ特性を加算した特性曲線となる。
【００９０】
図７（ａ）は、基準位置Ｓ０から下方向の移動量であるストロークＳとその位置で操作部（タッチパネル２）に作用する荷重Ｆとの関係を示す、反力生成部５０によるＦ−Ｓ特性図である。
【００９１】
図７（ａ）に示す反力生成部５０によるＦ−Ｓ特性は、基準位置Ｓ０（０、０）からストロークＳ方向に荷重Ｆが増加し、点Ａ０（Ｓa、ＦＡ０）で極大値となった後に荷重Ｆが減少する。点Ｂ０（Ｓｂ、ＦＢ０）で極小値となった後に荷重Ｆが増加し、最大ストロークの点Ｃ（Ｓｃ、ＦＣ）に至る。この反力生成部５０によるＦ−Ｓ特性は、基準位置Ｓ０からストロークＳ方向への荷重曲線と、点Ｃから点Ｂ０、Ａ０を通って基準位置Ｓ０に戻る荷重曲線は同じである。すなわち、操作部であるタッチパネル２を基準位置Ｓ０から下方向に押下操作する場合に受ける反力と、押下操作後に基準位置Ｓ０まで上方向に戻るときに受ける反力とは同じである。
【００９２】
このＦ−Ｓ特性により、操作者は、点Ａ０から点Ｂ０を通過して点Ｃに至る節度感を呈示する領域において、反力（荷重Ｆ）が変化する節度感（クリック感）を感じることができる。
【００９３】
以下に、本実施の形態に係る入力装置１の動作を、各図を参照しながら説明する。
【００９４】
（動作）
（１）押し下げ操作
図８は、実施の形態に係る入力装置の基準位置からの押し下げ操作における動作を示す概略図である。
【００９５】
まず、操作者が、操作面２００を下方向に押し下げると、タッチパネル２が押し下げられ、タッチパネル２の下面２４ｂが、プッシュロッド３０の端面３００ｂに接触すると共に、プッシュロッド３０が、図７の紙面下側に移動する。
【００９６】
プッシュロッド３０は、凸部３０１及び凸部３０２がボディ４のロッド開口４００のスリット４００ｃに案内されながら下方向に移動する。この移動に伴って、プッシュロッド３０の先端面３０６がプッシュスイッチ５の先端に接触して押し下げる。
【００９７】
プッシュスイッチ５は、先端が押し下げられたことによってオンとなり、プッシュ情報を出力する。操作者は、このプッシュスイッチ５のオン動作において、図７（ａ）に示す点Ａから点Ｂを通過して点Ｃに至る節度感を呈示する領域において、反力（荷重Ｆ）が変化する節度感（クリック感）を感じることができる。
【００９８】
なお、このときタッチパネル２の移動とともにベース２４のリンク２４５、２４６を介して第１のギア７１、第２のギア７２を図８中のＡ方向に回転させる。
【００９９】
操作者が押し下げ操作を終了し、操作面２００から指を離すと、スプリング３１に蓄積された弾性力が開放され、図８の紙面の上方向にプッシュロッド３０を押し上げる。プッシュロッド３０は、上方向に移動すると共に、プッシュロッド３０に接触していたタッチパネル２が、押し下げ位置から基準位置まで移動する。
【０１００】
なお、このときタッチパネル２の移動とともにベース２４のリンク２４５、２４６を介して第１のギア７１、第２のギア７２を図８中のＢ方向に回転させる。また、エンコーダ７７ｂ、７８ｂは、第１のギア７１、第２のギア７２に設けられたエンコーダディスク７７ａ、７８ａから第１のギア７１、第２のギア７２の角度情報を取得する。
【０１０１】
プッシュロッド３０は、図８に示すように、抜止４００ｄによって上方向の移動が規制される。従ってタッチパネル２は、基準位置まで移動することとなる。
【０１０２】
制御部８０は、プッシュスイッチ５から取得したプッシュ情報、及びタッチパネル基板２３から取得した座標情報に基づいて操作情報を生成し、電子機器に出力する。
【０１０３】
（２）モータアシスト動作
図７（ｂ）は、ストロークＳとその位置で操作部に作用するモータアシスト力を示す図である。ストロークＳからＳ１の区間でモータアシスト力がマイナス方向へ増加する。すなわち、モータ７５は、荷重を増加させながら基準位置から下方向にタッチパネル２に荷重を加える。ストロークＳ１からＳ２の区間では、モータアシスト力はＦｍとして一定である。ストロークＳ２からＳｃの区間では、モータ７５は、荷重を減少させながら基準位置から下方向にタッチパネル２に荷重を加える。
【０１０４】
上記のモータアシスト力は、操作者が押下操作を軽く行なうことができるようにするためであり、押下動作時及び戻り動作時に加えられる。すなわち、反力生成部５０による反力である弾性力を一定量だけ打ち消すものであるが、モータ７５のコギング力を打ち消すためにその分のアシスト力を加重したものとしてもよい。
【０１０５】
図７（ｃ）は、ストロークＳとその位置で操作部に作用する荷重Ｆとの関係を示すＦ−Ｓ特性図である。Ａ、Ｂを通ってＣに至る曲線は、基準位置から下方向への押下動作時のＦ−Ｓ特性図であり、ＣからＢ’、Ａ’、Ｏに至る曲線は、最大押下げ位置Ｃ（ストロークＳ＝Ｓｃ）から基準位置への戻り動作時のＦ−Ｓ特性図である。ここで、Ａ、Ｂを通ってＣに至る押下動作時にはモータアシスト力Ｆｍを小さく設定し、一方、ＣからＢ’、Ａ’、Ｏに至る戻り動作時にはモータアシスト力Ｆｍを大きく設定する。これにより、押下動作時及び戻り動作時に軽く、特に、戻り動作時に軽い押下操作が可能なＦ−Ｓ特性が得られる。
【０１０６】
（３）アシスト補正動作
図７（ｄ）は、基準位置から下方向への押下げ動作時におけるアシスト補正のストロークＳと補正力との関係を示す図である。アシスト補正は、押下動作時に節度感（クリック感）をより感じるために、点Ａから点Ｂを通過して点Ｃに至る節度感を呈示する領域において、制御部８０が押下操作の方向及びその反対方向の力をモータ７５により生成して駆動機構部７を制御するものである。また、前述のモータアシスト動作をすることによって押下動作時の節度感（クリック感）が低下することを抑制できる効果を有する。
【０１０７】
図７（ｄ）に示すように、点Ａから点Ｂを通過して点Ｃに至る節度感を呈示する領域において、ストロークＳ３からＳｂの区間でアシスト補正力がマイナス方向へＦ１まで加えられ、ストロークＳｂからＳ４の区間でアシスト補正力がプラス方向へＦ２まで加えられる。
【０１０８】
図７（ｅ）は、図７（ｃ）におけるＦ−Ｓ特性にアシスト補正を施して節度感（クリック感）を強調したＦ−Ｓ特性図である。このアシスト補正されたＦ−Ｓ特性によれば、操作者はより節度感（クリック感）を感じることができる。すなわち、図７（ｃ）における点Ｂの荷重ＦＢに対して、図７（ｅ）における点Ｂ’’の荷重ＦＢ’ ’はより小さく、これにより節度感（クリック感）を強く感じることができるようになる。また、アシスト補正力は、点Ａから点Ｂを通過して点Ｃに至る節度感を呈示する領域において押下操作の方向及びその反対方向の力とされているので、ガタを感じることなく節度感（クリック感）を得ることができる。
【０１０９】
なお、上記示したアシスト補正動作は、モータアシスト動作を行なわずに単独で行なうことが可能である。
【０１１０】
（実施の形態の効果）
（１）本実施の形態に係る入力装置１は、アシスト補正として、押下動作時に節度感（クリック感）をより感じるために、点Ａから点Ｂを通過して点Ｃに至る節度感を呈示する領域において、制御部８０が押下操作の方向及びその反対方向の力をモータ７５により生成して駆動機構部７を制御する。これにより、操作者は、押下動作時にガタを感じることなく、より節度感（クリック感）を得ることができる。したがって、押下動作によりプッシュスイッチ５をオンするエンター入力するシステムにおいて、エンター入力のフィーリングを改善することが可能となる。
（２）また、モータアシスト動作により押下操作を軽く行なうことができるようにされた場合の、モータアシスト動作によるエンター入力フィーリングの悪化を改善することが可能となる。
（３）以上により、押し下げ操作が軽く、クリック感を備えた操作フィーリングに優れた入力装置を提供することができる。
【０１１１】
以上、本発明のいくつかの実施の形態を説明したが、これらの実施の形態は、一例に過ぎず、特許請求の範囲に係る発明を限定するものではない。これら新規な実施の形態は、その他の様々な形態で実施されることが可能であり、本発明の要旨を逸脱しない範囲で、種々の省略、置き換え、変更等を行うことができる。また、これら実施の形態の中で説明した特徴の組合せの全てが発明の課題を解決するための手段に必須であるとは限らない。さらに、これら実施の形態は、発明の範囲及び要旨に含まれるとともに、特許請求の範囲に記載された発明とその均等の範囲に含まれる。
【符号の説明】
【０１１２】
１     入力装置
２     タッチパネル
３     押下機構部
４     ボディ
４ａ   カバー
５     プッシュスイッチ
６     スタビライザー
７     駆動機構部
８     制御基板
９     車両
１０   ベゼル
１２   シールド
２０   シート
２１   プレート
２２   パネル
２３   タッチパネル基板
２４   ベース
２４ａ 上面
２４ｂ 下面
３０   プッシュロッド
３１   スプリング
４０   収納部
４０ａ 底面
４１−４４    ガイド
４５、４６    リンク孔
４７、４８    取付孔
４９   貫通孔
５０   反力生成部
６０   基部
６１、６２    端部
７０   ギアシャフト部
７１、７２    ギア
７３   シャフト
７４ａ、７４ｂ       ピン
７５   モータ
７５ａ ブラケット
７６   ピニオンギア
７７ａ、７８ａ       エンコーダディスク
７７ｂ、７８ｂ       エンコーダ
８０   制御部
９０   センターコンソール
１００ 開口
１０１、１０４       脚
２００ 操作面
２１０ 凹部
２１１ 底面
２３０ 検出面
２３１ ケーブル
２４０−２４３       脚
２４０ａ      収納部
２４５、２４６       リンク
２４５ａ、２４６ａ   リンク凹部
２４７、２４８       取付部
２４７ａ、２４８ａ   凹部
２４９ 貫通孔
３００ 本体
３００ａ、３００ｂ   端面
３０１、３０２       凸部
３０３ 接触部
３０４ 取付部
３０５ 先端部
３０６ 先端面
４００ ロッド開口
４００ａ      底面
４００ｂ      貫通孔
４００ｃ      スリット
４００ｄ      抜止
４０１−４０３       取付部
７１０ ギア部
７１１ リンクピン
７１２ ピン挿入部
７１２ａ      挿入孔
７１３ シャフト取付部
７１３ａ      挿入孔
７２０ ギア部
７２１ リンクピン
７２２ ピン挿入部
７２２ａ      挿入孔
７２３ シャフト取付部
７２３ａ      挿入孔
【図１】
2014081720.tif 000003
【図２】
2014081720.tif 000004
【図３】
2014081720.tif 000005
【図４】
2014081720.tif 000006
【図５】
2014081720.tif 000007
【図６】
2014081720.tif 000008
【図７】
2014081720.tif 000009
【図８】
2014081720.tif 000010